(57)【要約】【課題】ディスク装置内への異物の侵入を防止することにより、部品の損傷を防止し、ディスク装置の信頼性を向上する。【解決手段】ディスク装置１０は、挿入口１１ａから挿入されたディスク１を筐体１０ａ内の所定の装着位置７まで搬送する搬送ローラ２１を備えている。挿入口１１ａから装着位置７までのディスク１の搬送路６には、開閉可能なゲート２３が設けられている。ディスク１の搬送路６においてゲート２３よりも挿入口側には、ディスク１が挿入されたことを検知する挿入検知センサ４（発光素子１４及び受光素子１５）が設けられている。挿入検知センサ４がディスク１の挿入を検知したときにのみ、ゲート２２の開放が行われる。【選択図】        図４
2004319050.tif 000002
【特許請求の範囲】
【請求項１】
ディスクを挿入するための挿入口を有する筐体と、
前記挿入口から挿入された前記ディスクを、前記筐体内の所定の装着位置まで搬送する搬送機構と、
前記挿入口から前記装着位置までの前記ディスクの搬送路に開閉可能に設けられ、閉鎖時には前記挿入口側と前記装着位置側との間の物体の移動を遮断するゲートと、
前記搬送路において前記ゲートよりも前記挿入口側に設けられ、前記ディスクを検知する検知手段と、
前記検知手段からの検知信号に基づいて前記ゲートを開閉するゲート開閉手段と
を備えたことを特徴とするディスク装置。
【請求項２】
前記搬送機構は、前記搬送路において、前記ゲートよりも前記装着位置側に設けられていることを特徴とする請求項１に記載のディスク装置。
【請求項３】
前記搬送機構は、
前記ゲートを通過した前記ディスクの面に当接するローラと、
前記ローラとの間で前記ディスクを挟み込むように対向配置された対向部材とを備えることを特徴とする請求項２に記載のディスク装置。
【請求項４】
前記検知手段は、前記挿入口から挿入された前記ディスクを光学的に検知する光学式検知手段であることを特徴とする請求項１から３までのいずれかに記載のディスク装置。
【請求項５】
前記検知手段は、
前記搬送方向に略垂直な方向において互いに接近及び離間可能に設けられ、前記挿入口から挿入された前記ディスクにより付勢されて互いに離間する方向に移動する一対の可動部材と、
前記一対の可動部材に接触する接触子を有し、前記一対の可動部材の前記移動を検知する移動検知手段と
を備えたことを特徴とする請求項１から３までのいずれかに記載のディスク装置。
【請求項６】
前記挿入口は、スロット状に形成されており、
前記一対の可動部材は、前記挿入口の長手方向に沿って移動可能に設けられていることを特徴とする請求項５に記載のディスク装置。
【請求項７】
前記挿入口は、スロット状に形成されており、
前記ゲートは、前記挿入口の長手方向と平行に設けられた支軸を中心として揺動するものであり、
前記ゲート開閉手段は、前記ゲートを前記支軸の周りに揺動させることにより前記開閉を行うことを特徴とする請求項１から６までのいずれかに記載のディスク装置。
【発明の詳細な説明】
【０００１】
【発明の属する技術分野】
この発明は、ＣＤ（Ｃｏｍｐａｃｔ  Ｄｉｓｋ）やＤＶＤ（Ｄｉｇｉｔａｌ  Ｖｅｒｓａｔｉｌｅ  Ｄｉｓｋ）等のディスクを用いて情報の記録等を行うディスク装置に関し、特にディスクを搬送する搬送機構を備えたディスク装置に関する。
【０００２】
【従来の技術】
ディスク装置には、挿入口から挿入されたディスクを、情報の記録等が行われる装着位置まで搬送する所謂スロットインタイプの搬送機構を備えたものがある。このようなディスク装置には、挿入口の近傍にディスクを検知するセンサ（挿入検知センサとする。）が備えられており、その検知信号に基づいて搬送機構が作動する。さらに、ディスクの種別等を判別するための光学式又は機械式のセンサも備えられており、ディスク以外の物体すなわち異物が挿入された場合には、搬送機構により強制的に排出するようになっている（例えば、特許文献１及び２参照）。
【０００３】
【特許文献１】
特開２０００−１４９３６７号公報（第３−４頁、図１）
【特許文献２】
特開２０００−２６８４８２号公報（第３頁、図３）
【０００４】
【発明が解決しようとする課題】
しかしながら、上記のような従来のディスク装置では、異物が挿入検知センサにより検知されない経路で挿入された場合には、上述した排出機構が作動せず、異物のディスク装置内への侵入を防止することができないため、異物がディスク装置内の部品と接触して部品の損傷を招くおそれがある。また、異物がディスク装置内に残存して除去できない状態となり、ディスク装置の信頼性を損なうおそれもある。
【０００５】
この発明は、上記の課題を解消するためになされたものであり、その目的は、ディスク装置内への異物の侵入を防止することにより、部品の損傷を防止し、ディスク装置の信頼性を向上することにある。
【０００６】
【課題を解決するための手段】
この発明に係るディスク装置は、ディスクを挿入するための挿入口を有する筐体と、挿入口から挿入されたディスクを筐体内の所定の装着位置まで搬送する搬送機構と、挿入口から装着位置までのディスクの搬送路に開閉可能に設けられたゲートとを備えている。ゲートは、閉鎖時には、挿入口側と装着位置側との間の物体の移動を遮断する。搬送路においてゲートよりも挿入口側には、ディスクを検知する検知手段が設けられている。検知手段からの検知信号に基づいて、ゲート開閉手段によるゲートの開閉が行われる。
【０００７】
【発明の実施の形態】
以下、この発明をその実施の形態を示す図面に基づいて具体的に説明する。
実施の形態１．
図１は、この発明の実施の形態１に係るディスク装置１０の全体を模式的に示す斜視図である。ディスク装置１０は、ＣＤ、ＤＶＤ等のディスク１に対して情報の記録若しくは再生（又はその両方）を行うものである。ディスク装置１０の筐体１０ａの内部において、ディスク１を回転させて情報の記録若しくは再生を行う位置を、装着位置７とする。ディスク装置１０の筐体１０ａは、その一面（図中、左側の面）に、フロントパネル１１を有している。このフロントパネル１１には、ディスク１を挿入するため、水平方向に延在するスロット状の挿入口１１ａが形成されている。
【０００８】
以下の説明では、鉛直方向、すなわちディスク装置１０内のディスク１の面に直交する方向をｚ方向とする。また、スロット状の挿入口１１ａの延在方向をｘ方向とし、この挿入口１１ａからのディスク１の装着方向をｙ方向とする。ｘ方向、ｙ方向及びｚ方向は、互いに略直交している。
【０００９】
図２及び図３は、挿入口１１ａの近傍の構成をフロントパネル１１の外側及び内側からそれぞれ見た斜視図である。また、図４は、挿入口１１ａの近傍の構成の分解斜視図である。図２に示すように、フロントパネル１１の内面１１ｂには、一対のサイドプレート２５，２６が互いに平行に取り付けられている。サイドプレート２５，２６は、ｘ方向に互いに対向しており、またｘ方向において挿入口１１ａよりも外側に取り付けられている。図３に示すように、サイドプレート２５，２６は、それぞれのフロントパネル側に屈曲形成されたフランジ状の取り付け部２５ａ，２６ａを有しており、この取り付け部２５ａ，２６ａがフロントパネル１１の内面１１ｂに固定されている。
【００１０】
図４に示すように、サイドプレート２５，２６の間には、搬送ローラ２１が設けられている。搬送ローラ２１は、その軸方向とｘ方向とが一致するように配置されている。搬送ローラ２１の軸方向両端に設けられた支軸２１ａ，２１ｂは、サイドプレート２５，２６にそれぞれ形成された略円孔であるローラ軸受部２５ｄ，２６ｄにより回動可能に支持されている。また、搬送ローラ２１の一方の支軸２１ａは、図示しない連結手段を介して搬送用モータ１７（図７）に連結されている。
【００１１】
搬送ローラ２１の上方には、ガイドフラップ（対向部材）２２が設けられている。ガイドフラップ２２は、ｘ方向に延在する長辺と、ｙ方向に延在する短辺とを有する略長方形状の板状部材である。ガイドフラップ２２と搬送ローラ２１との間には、１枚のディスク１の厚さとほぼ同じクリアランスが設けられている。ガイドフラップ２２の長手方向（ｘ方向）両端面は、サイドプレート２５，２６にそれぞれ固定されている。搬送ローラ２１及びガイドフラップ２２は、挿入口１１ａから挿入されたディスク１を装着位置７まで搬送し、また装着位置７から筐体１０ａ外に排出する搬送機構２０を構成している。
【００１２】
搬送ローラ２１及びガイドフラップ２２よりも挿入口１１ａ側には、ゲート２３が設けられている。ゲート２３は、ｘ方向に延在する長辺と、この長辺に直交する方向に延在する短辺とを有する略長方形の板状部材である。ゲート２３の一長辺（図４において上側の長辺）のｘ方向両端には、一対の回動支軸２３ａ，２３ｂが形成されている。回動支軸２３ａ，２３ｂは、サイドプレート２５，２６に形成された軸受部２５ｂ，２６ｂにより回転可能に支持されている。ゲート２３は、回動支軸２３ａ，２３ｂを中心として、板面が水平面をなす開位置と、板面が鉛直面をなす開位置との間で約９０度揺動する。
【００１３】
ゲート２３において、回動支軸２３ａ，２３ｂが形成された側と反対側の長辺（図３において下側の長辺）のｘ方向両端には、一対の駆動軸２３ｃ，２３ｄが形成されている。サイドプレート２５，２６には、ゲート２３の駆動軸２３ｃ，２３ｄを貫通させる円弧状の溝部２５ｃ，２６ｃがそれぞれ形成されている。これら溝部２５ｃ，２６ｃは、軸受部２５ｂ，２６ｂを中心とした円弧を描くように形成されている。
【００１４】
サイドプレート２５，２６の外側には、一対のスライドカム３２，３５がそれぞれ設けられている。スライドカム３２は、ｙ方向に延在する上下一対のガイド溝３２ａ，３２ｂを有している。ガイド溝３２ａ，３２ｂには、それぞれガイドピン３３，３４が貫通しており、これらガイドピン３３，３４はサイドプレート２５に固定されている。これにより、スライドカム３２は、サイドプレート２５に、ｙ方向に移動可能に取り付けられている。同様に、スライドカム３５は、ｙ方向に延在する上下一対のガイド溝３５ａ，３５ｂを有している。ガイド溝３５ａ，３５ｂには、それぞれガイドピン３６，３７が貫通しており、これらガイドピン３６，３７はサイドプレート２６に固定されている。これにより、スライドカム３５は、サイドプレート２６に、ｙ方向に移動可能に取り付けられている。スライドカム３２，３５は、また、ｙ方向に対して所定角度傾斜した直線状のカム溝３２ｃ，３５ｃを有している。上述したゲート２３の駆動軸２３ｃ，２３ｄは、サイドプレート２５，２６の円弧状の溝部２５ｃ，２６ｃを貫通して、スライドカム３２，３５のカム溝３２ｃ，３５ｃに係合している。
【００１５】
搬送ローラ２１の下方には、軸方向がｘ方向と一致するように、ギアシャフト３１が設けられている。ギアシャフト３１は、サイドプレート２５，２６にそれぞれ形成されたギアシャフト受部２５ｅ，２６ｅにより回動可能に支持されている。ギアシャフト３１の両端には、スライドカム駆動ギア（ピニオンギア）２９，３０が固定されている。これらスライドカム駆動ギア２９，３０は、スライドカム３２，３５の下端縁にｙ方向に形成されたラック３２ｄ，３５ｄに係合している。
【００１６】
サイドプレート２５に形成された取り付け穴２５ｆには、ギアシャフト３１を回転駆動するための開閉用モータ２７が取り付けられている。開閉用モータ２７の出力軸にはモータギア２８が取り付けられ、このモータギア２８は、スライドカム駆動ギア２９に係合している。開閉用モータ２７が回転すると、その回転はギアシャフト３１のスライドカム駆動ギア２９，３０に伝達され、スライドカム駆動ギア２９，３０とラック３２ｄ，３５ｄとの係合により、スライドカム３２，３５がｙ方向に移動する。スライドカム３２，３５がｙ方向に移動すると、ゲート２３の駆動軸２３ｃ，２３ｄがカム溝３２ｃ，３５ｃとの係合により、円弧状の溝部２５ｃ，２６ｃに沿って移動し、ゲート２３が回動支軸２３ａ，２３ｂを中心として揺動する。
【００１７】
図５及び図６は、記録媒体の搬送路を拡大して示す斜視図であり、ゲート２３が閉鎖された状態及び開放された状態をそれぞれ示している。図５に示すように、サイドプレート２５，２６（図５では一方のサイドプレート２５が省略されている。）の間には、上下に一定間隔を開けて上カバー１２及び下カバー１３が取り付けられている。上カバー１２及び下カバー１３は、それぞれフランジ状の取り付け部１２ａ，１３ａにおいて、フロントパネル１１の内面１１ｂ（図４）に固定されている。上カバー１２及び下カバー１３は、また、挿入口１１ａ（図４）の上側及び下側にそれぞれ位置している。
【００１８】
図６に示すように、ゲート２３が開位置にあるときには、挿入口１１ａから挿入されたディスク１は、上カバー１２と下カバー１３との間を経て搬送機構２０（搬送ロール２１及びガイドフラップ２２）に達し、この搬送機構２０により装着位置７（図１）まで搬送される。挿入口１１ａから装着位置７に至るまでディスク１が搬送される経路を、搬送路６とする。
【００１９】
ゲート２３は、上カバー１２と下カバー１３との間に、上下に僅かなクリアランスを残して配置されている。ゲート２３は、図５に示す閉鎖位置にあるときには、ディスク１の搬送路６を挿入口１１ａ側と装着位置７側とに二分し、挿入口１１ａ側と装着位置７側との間での物体の移動を遮断する。すなわち、挿入口１１ａから挿入された物体は、ゲート２３、上カバー１２、下カバー１３及びサイドプレート２５，２６により、それ以上内部に侵入することができない。一方、図６に示すように、ゲート２３が開位置にあるときには、挿入口１１ａから挿入された物体が搬送路６に沿って装着位置７側に侵入することが可能になる。
【００２０】
上カバー１２には、発光素子１４が取り付けられている。発光素子１４は、上カバー１２のｘ方向略中央で且つｙ方向においてゲート２３よりも挿入口１１ａ寄りの位置に配置されている。下カバー１３には、受光素子１５が取り付けられている。この受光素子１５は、発光素子１４からの光を受光できるように、発光素子１４と対向する位置に配置されている。発光素子１４及び受光素子１５は、両者の間に形成される光路が遮断されると一定の検知信号を発する挿入検知センサ（検知手段）４を構成する。
【００２１】
図７は、ゲート２３及び搬送機構２０を制御する制御系を示すブロック図である。制御部（ゲート開閉手段）１００は、ゲート２３を開閉するための開閉用モータ２７と、ディスク１を搬送する搬送ローラ２１を回転させる搬送用モータ１７とを駆動制御する。また、制御部１００には、上述した発光素子１４及び受光素子１５からなる挿入検知センサ４からの検知信号が入力される。
【００２２】
次に、このように構成されたディスク装置の動作について、図８〜図１３を参照して説明する。図８は、ディスク１を挿入口１１ａに挿入する工程を説明するための斜視図である。図９は、図８に示した工程を、フロントパネル１１及び上カバー１２を取り除いて示す斜視図である。図１０及び図１１は、ゲート２３を開放する工程を説明するための斜視図である。図１２及び図１３は、ディスク１を装着位置７に向けて搬送する工程を示す斜視図である。
【００２３】
図８及び図９に示すように、使用者がディスク１を挿入口１１ａに挿入し、ディスク１が発光素子１４（図８）と受光素子１５（図９）との間の光路を遮断することにより、検知信号が発せられる。制御部１００は、この検知信号を受信すると、ディスク１が挿入されたと判断し、開閉用モータ２７を駆動する。開閉用モータ２７の回転により、上述したようにスライドカム３２，３５がｙ方向に移動する。図１０及び図１１に示すように、スライドカム３２，３５がｙ方向に移動すると、スライドカム３２，３５のカム溝３２ｃ，３５ｃ（図４）とゲート２３の駆動軸２３ｃ，２３ｄ（図４）との係合により、ゲート２３が図中反時計回りに揺動する。図１１に示すように、ゲート２３が開位置まで揺動したところで、制御部１００は開閉用モータ２７の回転を停止する。
【００２４】
制御部１００は、その後、搬送用モータ１７を駆動して搬送ローラ２１（図６）を回転させる。搬送ローラ２１とガイドフラップ２２との間に挿入されたディスク１は、搬送ローラ２１の回転により、図１３に示すように搬送路６に沿って装着位置７まで搬送される。図１３に示す装着位置７では、スピンドルモータ等によりディスク１を回転させ、情報の記録若しくは再生（又はその両方）を行う。
【００２５】
ディスク１を排出するときには、制御部１００は、搬送用モータ１７により搬送ローラ２１を排出方向に回転させ、ディスク１を挿入口１１ａから外部に突出させる。ディスク１が挿入口１１ａから使用者により引き抜かれたのち、制御部１００は、開閉用モータ２７を駆動してゲート２３を閉位置まで揺動させる。これにより、搬送路６はゲート２３によって再び閉鎖される。
【００２６】
このディスク装置では、挿入口１１ａに物体をどの方向に挿入しても、その物体が発光素子１４と受光素子１５との間の光路を遮断しない限り、ゲート２３が搬送路６を閉鎖しているため、物体がゲート２３よりも内部に進入することがない。従って、異物（すなわちディスク以外の物体）のディスク装置１０内への侵入を防止し、ディスク装置１０内の部品の損傷を防止すると共に、ディスク装置１０の信頼性を高めることができる。
【００２７】
なお、異物が発光素子１４と受光素子１５との間の光路を遮断した場合には、ゲート２３が開放される。この場合には、公知の方法（例えば特開２０００−１４９３６７号に記載された方法）によりディスクか異物かの判別を行い、異物と判断したときには搬送ローラ２１により強制的に排出する。例えば、搬送路６等に光学式又は機械式（接触式）の判別用センサを複数設け、物体（ディスク１又は異物）が搬送路６を搬送される際、それぞれの判別用センサのオンオフの時間差に基づき、ディスク１か異物かの判別を行う。異物と判断した場合には、搬送ローラ２１を排出方向に回転し、ディスク装置１０外に排除する。
【００２８】
以上説明したように、この実施の形態１のディスク装置１０によれば、挿入口１１ａから装着位置７までのディスク１の搬送路６に開閉可能なゲート２３を設け、挿入検知センサ４（発光素子１４及び受光素子１５）がディスク１を検知したときにのみゲート２３を開放するようにしたので、ディスク１以外の物体すなわち異物の侵入をゲート２３において遮断することができる。従って、異物の侵入によるディスク装置１０内の部品の損傷を防止し、また、ディスク装置１０の信頼性を高めることができる。
【００２９】
また、搬送ローラ２１とガイドフラップ２２とからなる搬送機構２０を、搬送路６においてゲート２３よりも装着位置７側に設けたので、異物が搬送機構２０に接触する可能性を最小限に抑えることができ、搬送機構２０の損傷を確実に防止することができる。また、光学式の挿入検知センサ４（発光素子１４及び受光素子１５）を用いてディスク１を非接触状態で検知するようにしたので、接触等によるディスクの損傷を防止することができる。
【００３０】
実施の形態２．
実施の形態２は、ディスク１の挿入を検知する方法において、上述した実施の形態１と異なるものである。この実施の形態２に係るディスク装置は、光学式の挿入検知センサ４（発光素子１４及び受光素子１５）の代わりに、ディスク１に接触することでディスク１の挿入を検知する挿入検知部５を備えている。
【００３１】
図１４は、実施の形態２に係るディスク装置における、挿入検知部５を含む挿入口１１ａの近傍の構成を示す斜視図である。図１５及び図１６は、挿入検知部５をフロントパネル１１側からみた斜視図及び分解斜視図である。図１４〜１６に示すように、挿入検知部５は、下カバー１３の前端に沿って設けられた一対のスライドレバー５０，５１を有している。図１６に示すように、スライドレバー５０，５１は、それぞれ長手方向がｘ方向と一致している。また、スライドレバー５１は、スライドレバー５０の上側に重ね合わされている。スライドレバー５０は、ｘ方向に延在する一対のガイド溝５０ａ，５０ｂを有し、これらガイド溝５０ａ，５０ｂを挿通するガイドピン５６，５７により、下カバー１３に略ｘ方向にスライド可能に取り付けられている。スライドレバー５１は、ｘ方向に延在する一対のガイド溝５１ａ，５１ｂを有し、これらガイド溝５１ａ，５１ｂを挿通するガイドピン５７，５８により、下カバー１３に略ｘ方向にスライド可能に取り付けられている。
【００３２】
スライドレバー５０の図中右側の端部には、ローラピン５２が垂直（ｚ方向）に取り付けられており、このローラピン５２には、当接ローラ５３が、その中心軸線の回りに回転可能に支持されている。同様に、スライドレバー５１の図中左側の端部には、ローラピン５４が垂直（ｚ方向）に取り付けられており、このローラピン５４には、当接ローラ５５が、その中心軸線の回りに回転可能に支持されている。スライドレバー５０，５１は、コイルバネ５９により、当接ローラ５３，５５が互いに接近する方向に付勢されている。コイルバネ５９は、スライドレバー５０，５１にそれぞれ設けられたばねフック部５０ｃ，５１ｃに取り付けられている。
【００３３】
スライドレバー５０，５１の位置を検出するため、下カバー１３上にはプッシュスイッチ６０が設けられている。プッシュスイッチ６０は、下カバー１３上のｘ方向略中心に配置されており、可動部である接触子６０ａをスライドレバー５０，５１側に突出させている。スライドレバー５０のｘ方向略中央部から当接ローラ５３が形成された端部までの部分は、プッシュスイッチ６０側に突出するスイッチ押圧部５０ｄを構成している。スライドレバー５１のｘ方向略中央部から当接ローラ５５が形成された端部までの部分は、プッシュスイッチ６０側に突出するスイッチ押圧部５１ｄを構成している。ディスク１が挿入されていないときには、スライドレバー５０，５１のスイッチ押圧部５０ｄ，５１ｄがプッシュスイッチ６０の接触子６０ａを押圧している。
【００３４】
図１７〜図１９は、ディスク１の挿入に伴う挿入検知部５の動作を示す上面図である。図１７〜図１９において、下カバー１３のｘ方向中心を基準として、図中右方向を＋ｘ方向とし、図中左方向を−ｘ方向とする。図１７に示すように、使用者がディスク１を挿入口１１ａ（図１）から挿入すると、ディスク１の外周端面が当接ローラ５３，５５に当接する。ディスク１をさらに挿入すると、ディスク１が当接ローラ５３を＋ｘ方向に、当接ローラ５５を−ｘ方向に付勢する。これにより、図１８に示すように、スライドレバー５０は＋ｘ方向に移動し、スライドレバー５１は−ｘ方向に移動する。
【００３５】
ディスク１の挿入前は、スライドレバー５０，５１の各スイッチ押圧部５０ｄ，５１ｄがプッシュスイッチ６０を押圧しているが、スライドレバー５０，５１が＋ｘ方向及び−ｘ方向にそれぞれ移動することにより、図１９に示すように、スライドレバー５０，５１のスイッチ押圧部５０ｄ，５１ｄが接触子６０ａから離間し、接触子６０ａに対する押圧が解除される。これにより、プッシュスイッチ６０が切り替えられ、プッシュスイッチ６０は検知信号を発する。制御部１００は、検知信号を受信すると、実施の形態１で説明したように開閉用モータ２７を駆動してゲート２３を開放し、さらに搬送用モータ１７を駆動して搬送ローラ２１を回転させ、ディスク１を装着位置７（図１３）まで搬送する。
【００３６】
図２０は、異物（ディスク１以外の物体）を挿入したときの挿入検知部５の動作の一例を示す上面図である。この実施の形態２では、スライドレバー５０，５１をそれぞれ＋ｘ方向及び−ｘ方向に移動させて接触子６０ａに対する押圧を解除しない限り、プッシュスイッチ６０は切り替えられない。すなわち、一定の間隔をあけて配置された当接ローラ５３，５５を相反する方向に押し広げなければ、ディスク１が挿入されたと判断されない。ディスク１よりも小さい異物を挿入した場合には、例えば図２０に示すように、一方のスライドレバー５１が移動してスイッチ押圧部５１ｄが接触子６０ａから離間しても、他方のスライドレバー５０のスイッチ押圧部５０ｄは接触子６０ａに当接しているため、プッシュスイッチ６０の切り替えが行われず、従ってゲート２３は閉鎖されたままである。すなわち、実施の形態１では、挿入口１１ａから小さな異物が挿入された場合、その異物が発光素子１４及び受光素子１５の間の光路を遮ればゲート２３が開放されたのに対し、この実施の形態２では、挿入口１１ａから小さな異物が挿入されてもゲート２３が開放されないため、小さな異物の侵入をより確実に防止することができる。
【００３７】
なお、この実施の形態２において、ディスク１と同程度の大きさの異物が挿入口１１ａから挿入された場合には、当接ローラ５３，５５が相反する方向に押し広げられ、プッシュスイッチ６０が切り替えられる可能性もある。この場合には、ゲート２３の開放が行われるが、実施の形態１と同様、公知の方法でディスク１か異物かの判別を行い、異物と判断した場合はこれを強制的に排出する。
【００３８】
以上説明したように、実施の形態２によれば、実施の形態１と同様、ディスク装置１０内への異物の侵入を防止して、部品の損傷を防ぐと共に、ディスク装置１０の信頼性を向上することができる。加えて、挿入口１１ａから挿入された物体が当接ローラ５３，５５を相反する方向に押し広げなければゲート２３が開放されないため、小さな異物の筐体１０ａ内への侵入を特に効果的に防止することができる。
【００３９】
【発明の効果】
以上説明したように、本発明によれば、挿入口から装着位置までのディスク搬送路に開閉可能なゲートを設け、且つ、挿入口からのディスクの挿入を検知手段により検知し、その検知結果に基づいてゲートを開閉するよう構成したので、筐体内への異物の侵入を防止することができる。これにより、ディスク装置内の部品の損傷を防止し、ディスク装置の信頼性を高めることができる。
【図面の簡単な説明】
【図１】この発明の実施の形態１に係るディスク装置の斜視図である。
【図２】この発明の実施の形態１に係るディスク装置の挿入口近傍の構成を示す斜視図である。
【図３】この発明の実施の形態１に係るディスク装置の挿入口近傍の構成を装置内側から見た斜視図である。
【図４】この発明の実施の形態１に係るディスク装置の挿入口近傍の構成を示す分解斜視図である。
【図５】この発明の実施の形態１に係るディスク装置においてゲートが閉じているときの挿入口近傍の構成を拡大して示す斜視図である。
【図６】この発明の実施の形態１に係るディスク装置においてゲートが開いているときの挿入口近傍の構成を拡大して示す斜視図である。
【図７】この発明の実施の形態１に係るディスク装置の制御系を示すブロック図である。
【図８】この発明の実施の形態１において、ディスク装置にディスクを挿入する工程を説明するための斜視図である。
【図９】この発明の実施の形態１において、ディスク装置にディスクを挿入する工程を、フロントパネル及び上カバーを取り除いて示す斜視図である。
【図１０】この発明の実施の形態１において、ディスク装置のゲートを開放する工程を説明するための斜視図である。
【図１１】この発明の実施の形態１において、ディスク装置のゲートを開放する工程が完了した状態を示す斜視図である。
【図１２】この発明の実施の形態１において、ディスク装置内にディスクを搬送する工程を説明するための斜視図である。
【図１３】この発明の実施の形態１において、ディスクの搬送が完了した状態を示す斜視図である。
【図１４】この発明の実施の形態２に係るディスク装置の挿入検知部を装置内側から見た斜視図である。
【図１５】この発明の実施の形態２に係るディスク装置の挿入検知部をフロントパネル側から見た斜視図である。
【図１６】この発明の実施の形態２に係るディスク装置の挿入検知部の分解斜視図である。
【図１７】この発明の実施の形態２において、ディスク装置へのディスクの挿入を開始したときの挿入検知部を示す上面図である。
【図１８】この発明の実施の形態２において、ディスク装置にディスクを挿入したときの挿入検知部を示す上面図である。
【図１９】この発明の実施の形態２において、ディスク装置にディスクを挿入したときの挿入検知部を、ディスクを取り除いて示す上面図である。
【図２０】この発明の実施の形態２において、ディスク装置に異物を挿入したときの挿入検知部を示す上面図である。
【符号の説明】
１  ディスク、  ４  挿入検知センサ、  ５  挿入検知部、  ６  搬送路、  ７  装着位置、  １０  ディスク装置、  １０ａ  筐体、  １１  フロントパネル、  １１ａ  挿入口、  １２  上カバー、  １３  下カバー、  １４  発光素子、  １５  受光素子、  １６  検知センサ、  ２１  搬送ローラ、  ２２  ガイドフラップ、  ２３  ゲート、  ２５，２６  サイドプレート、  ２７  開閉用モータ、  ３１  ギアシャフト、  ３２，３５  スライドカム、  ５０，５１スライドレバー、  ５３，５５  当接ローラ、  ６０  プッシュスイッチ、  ６０ａ  接触子。
【図１】
2004319050.tif 000003
【図２】
2004319050.tif 000004
【図３】
2004319050.tif 000005
【図４】
2004319050.tif 000006
【図５】
2004319050.tif 000007
【図６】
2004319050.tif 000008
【図７】
2004319050.tif 000009
【図８】
2004319050.tif 000010
【図９】
2004319050.tif 000011
【図１０】
2004319050.tif 000012
【図１１】
2004319050.tif 000013
【図１２】
2004319050.tif 000014
【図１３】
2004319050.tif 000015
【図１４】
2004319050.tif 000016
【図１５】
2004319050.tif 000017
【図１６】
2004319050.tif 000018
【図１７】
2004319050.tif 000019
【図１８】
2004319050.tif 000020
【図１９】
2004319050.tif 000021
【図２０】
2004319050.tif 000022